(57)【要約】【課題】本体が上下逆向き状態にされた場合は、ボールが逃げることなくスイッチをＯＦＦ状態に維持することができる電気掃除機の吸込み具を提供する。【解決手段】本体１の吸込口９に回転自在に支持されモータ１２で駆動される回転体１０と、本体１内に設けられモータ１２への通電を制御するスイッチと、本体１が清掃面に置かれたときは本体１の底面に設けた検出部１５と連動してスイッチをＯＮし、本体１が清掃面から離れたときは検出部１５と連動してスイッチをＯＦＦする操作部１４と、ボールが配設され操作部１４と連動するストッパ片２２が収容されたガイド枠とを備え、本体１が上下逆向き状態にされたときは、ボールを本体１、ガイド枠及びストッパ片２２で挟持し、ストッパ片２２をロックしてスイッチのＯＦＦ状態を維持する。【選択図】        図２
2004159961.tif 000002
【特許請求の範囲】
【請求項１】
本体の吸込口に回転自在に支持されモータで駆動される回転体と、前記本体内に設けられ前記モータへの通電を制御するスイッチと、前記本体が清掃面に置かれたときは該本体の底面に設けた検出部と連動して前記スイッチをＯＮし、該本体が清掃面から離れたときは前記検出部と連動して前記スイッチをＯＦＦする操作部と、ボールが配設され前記操作部と連動するストッパ片が収容されたガイド枠とを備え、
前記本体が上下逆向き状態にされたときは、前記ボールを前記本体、ガイド枠及びストッパ片で挟持し、該ストッパ片をロックして前記スイッチのＯＦＦ状態を維持するように構成したことを特徴とする電気掃除機の吸込み具。
【請求項２】
前記ガイド枠を上下が開口された平面ほぼ長方形状に形成し、該ガイド枠の一方の短辺の内壁の上部に斜め内側に傾斜する傾斜片を設けると共に、前記本体の上ケースの下面の前記傾斜片の近傍に突起部を設けたことを特徴とする請求項１記載の電気掃除機の吸込み具。
【請求項３】
本体の吸込口に回転自在に支持されモータで駆動される回転体と、前記本体内に設けられ前記モータへの通電を制御するスイッチと、前記本体が清掃面に置かれたときは該本体の底面に設けた検出部と連動して前記スイッチをＯＮし、該本体が清掃面から離れたときは前記検出部と連動して前記スイッチをＯＦＦする操作部と、ボールが配設され前記操作部と連動するストッパ片が収容されたガイド枠とを備え、
前記本体が上下逆向き状態にされたときは、前記ボールを前記ガイド枠、該ガイド枠に設けた支持片及びストッパ片で挟持し、該ストッパ片をロックして前記スイッチのＯＦＦ状態を維持するように構成したことを特徴とする電気掃除機の吸込み具。
【請求項４】
前記ガイド枠を上下が開口された平面ほぼ長方形状に形成し、該ガイド枠の一方の短辺の内壁の上部に斜め内側に傾斜する傾斜面を設けると共に、該傾斜面の上端部を前記短辺と直交する方向に延設して支持片を設けたことを特徴とする請求項３記載の電気掃除機の吸込み具。
【請求項５】
前記ストッパ片により、前記ボールを該ボールの中心から傾斜片又は傾斜面に向って斜めに挟持することを特徴とする請求項１〜４のいずれかに記載の電気掃除機の吸込み具。
【発明の詳細な説明】
【０００１】
【発明の属する技術分野】
本発明は、電気掃除機の吸込み具に係り、さらに詳しくは、カーペットなどに付着したゴミを掻き出すための吸込み具を備えた電気掃除機の吸込み具に関するものである。
【０００２】
【従来の技術】
従来のこの種電気掃除機の吸込口体（吸込み具）に、本体に形成された吸込口に対向し且つモータの駆動により回転する回転体と、前記本体に内蔵されて前記モータの駆動をＯＮ・ＯＦＦ制御するスイッチと、前記本体の底面から突出して前記本体の被接地面への離反・接地に連動して変位する検出部を有し、前記本体が被清掃面に接地されたときに前記検出部に連動して可動し前記スイッチをＯＮ操作すると共に、前記本体が被清掃面から離反したときに前記検出部に連動して可動し前記スイッチをＯＦＦ操作する操作部と、該操作部の可動に連動するストッパ片と、前記本体の上下向き操作に連動して上下方向に移動するボールとを備え、前記本体が上下逆向きにされた際に、前記操作部の可動を阻止して前記スイッチのＯＦＦ状態を維持するように、前記ボールを前記本体とストッパ片とで水平方向で挟持する位置に案内し且つ留まらせる当接部を設けたものがある（例えば、特許文献１参照）。
【０００３】
【特許文献１】
特許第３１４０２７１号公報（第２頁〜第４頁、図１〜図１２）
【０００４】
【発明が解決しようとする課題】
上記のように構成した電気掃除機の吸込口体においては、上部ケースに当接部としての突起を設けてボールを案内しかつ保持し、吸込口体を上下逆向き状態にしたときは、ガイド部とストッパ片とによりボールの中心軸を水平方向から２点で挟持するようにしたので、回転ローラに外力が加わるとボールが逃げてしまうことがあり、また、下部ケースと上部ケースとのあわせ目にすき間があると、ボールを正確な位置に案内し、保持することができないことがある等の問題があった。
【０００５】
さらに、吸込口体が例えば敷居に乗り上げた場合などのように、上下順向き状態で飛び跳ねた場合、ストッパ片が一瞬回動して上方に隙間ができると、ボールがストッパ片の凹所から飛び出して隙間に移動することがあり、ボールが移動したときに吸込口体が再び掃除面に位置すると、ストッパ片が回動してボールをガイド部との間に挟持してしまい、ストッパ片がロック状態になってモータへの通電がＯＦＦされ、回転体が回転できなくなることがある。
【０００６】
本発明は、上記の課題を解決するためになされたもので、吸込み具が上下逆向き状態にされた場合はボールが逃げることなくスイッチをＯＦＦ状態に維持することができまた、不測にボールが挟持されてストッパ片がロック状態になることがなく、さらに、上ケースと下ケースとの間に隙間があっても確実に動作することのできる電気掃除機の吸込み具を提供することを目的としたものである。
【０００７】
【課題を解決するための手段】
本発明に係る電気掃除機の吸込み具は、本体の吸込口に回転自在に支持されモータで駆動される回転体と、前記本体内に設けられ前記モータへの通電を制御するスイッチと、前記本体が清掃面に置かれたときは該本体の底面に設けた検出部と連動して前記スイッチをＯＮし、該本体が清掃面から離れたときは前記検出部と連動して前記スイッチをＯＦＦする操作部と、ボールが配設され前記操作部と連動するストッパ片が収容されたガイド枠とを備え、前記本体が上下逆向き状態にされたときは、前記ボールを前記本体、ガイド枠及びストッパ片で挟持し、該ストッパ片をロックして前記スイッチのＯＦＦ状態を維持するように構成したものである。
【０００８】
【発明の実施の形態】
［実施の形態１］
図１は本発明の実施の形態１に係る電気掃除機の吸込み具の上面斜視図及び底面斜視図、図２は図１（ａ）の上ケースを取外した状態の一部を省略した平面図、図３は図２の要部拡大図である。
この吸込み具１（以下、本体と記すことがある）は、左右方向に長いほぼ長方形の下ケース２と、下ケース２の上方を覆う前後に２分割された上ケース３，４と、下ケース２と上ケース３，４との間に挟持された接続パイプ５と、前面及び側面に取付けられて本体１を保護するバンパー６とを備えている。
【０００９】
そして、下ケース２には、前側の両端部近傍に左右一対の前輪７が設けられており、後側の接続パイプ５の両側には左右一対の後輪が設けられている。また、下ケース２の長手方向には接続パイプ５に連通する吸込口９が開口しており、この吸込口９には、外周に刷毛やブレード１１などが取付けられた回転体１０が回転自在に軸支され、下部ケース２に設けたモータ１２の出力軸との間に介装されたベルト１３に駆動されて回転する。１４は操作部で、検出部である回転ローラ１５が設けられており、上部にはカバーキャップ２５が取付けられている。
【００１０】
操作部１４は図４、図５に示すように、軸１６を介して回転ローラ１５を回転自在に支持するブラケット１７と、ブラケット１７と一体に形成され、下ケース２に回動可能に支持された軸１８と、軸１８と一体に設けられたアーム１９と、一端がアーム１９に設けた溝２０に取付けられ、軸の一端に巻装されて回転ローラ１５を突出方向（下ケース２から下方に突出する方向）に付勢するコイルばね２１と、軸１８の他端側に設けられたほぼＣ字状のストッパ片とからなっている。
【００１１】
そして、回転ローラ１５は、図６（ａ）に示すように、本体１が清掃面から離れたときは、コイルばね２１に付勢されてブラケット１７と一体に回動して下降し、下ケース２から大きく突出して後述のスイッチをＯＦＦする。また、本体１が清掃面に当接したときは、清掃面に押されて反対方向に回動して上昇し、スイッチをＯＮする。
【００１２】
操作部１４のカバーキャップ２５は、図７に示すように、一対の脚部２６により下ケース２に取付けられており、回転ローラ１５を覆う円弧状のカバー部２７と、このカバー部２７の側面から突出し、モータ１２への通電を制御するスイッチ２８を保持する一対の支持腕３０と、プリント基板３１（図３参照）を取付けるための位置決め突起３２及び複数の支持突起３３と、平面矩形状で上下が開口されてほぼ四角筒状に形成され、ストッパ片２２が挿入されるガイド枠３４とを備えている。
【００１３】
このガイド枠３４は、図８に示すように、一方の短辺の内壁の上部（上ケース４側）には、内壁から分岐して斜め内側に傾斜して両長辺に連なり、ストッパ片２２の自由端が当接可能な傾斜片３５が設けられている。３６はガイド枠３４内に配設されたボール、４ａは傾斜片３５の上端部近傍において上ケース４の下面に突設された突起部である。
【００１４】
再び図７において、スイッチ２８は、例えば握り部に設けられたカーペットを清掃する場合と、畳などを清掃する場合などの清掃条件を選択するための条件選択スイッチ（図示せず）と電気的に接続されており、この条件選択スイッチによりカーペットが選択され、スイッチ２８がＯＮになったときのみモータ１２に通電され、回転体１０が駆動されるようになっている。
【００１５】
次に、上記のように構成した操作部１４の作用を、図９により説明する。
吸込み具１を上下順方向状態（図１（ａ）の状態）で清掃面に置くと、図９（ａ）に示すように、回転ローラ１５が清掃面によって押上げられ、これによりブラケット１７及びアーム１９がコイルばね２１に抗して矢印方向に回動し、アーム１９がスイッチ２８の可動片２８ａを押上げて接点２８ｂをＯＮし、モータ１２を通電状態にする。
このとき、ストッパ片２２も矢印方向に回動し、その自由端がガイド枠３４の傾斜片３５に当って停止し、ボール３６はストッパ片２２のＣ字状部２２ａ（以下、凹部という）内に位置し、ストッパ片２２、ガイド枠３４の内壁及び傾斜片３５で囲まれた空間部Ｓ内に保持される。
【００１６】
次に、例えば、移動等のために吸込み具１を持ち上げて清掃面から離したときは、回転ローラ１５がフリー状態になるため、図９（ｂ）に示すように、ブラケット１７は回転ローラ１５、アーム１９と共にコイルばね２１に付勢されて矢印方向に回動し、アーム１９が可動片２８ａから離脱して接点２８ｂをＯＦＦし、モータ１２への通電状態を遮断する。
このとき、ストッパ片２２もボール３６を凹部２２ａ内に保持した状態で矢印方向に回動し、ガイド枠３４の内壁に当って停止する。これにより、ストッパ片２２の逆矢印方向への回動が阻止される。
【００１７】
吸込み具１が上下逆向き状態（図１（ｂ）の状態）になったときは、図９（ｃ）に示すように、ブラケット１７及びアーム１９はコイルばね２１に付勢されて矢印方向に回動し、スイッチ２８の接点２８ｂをＯＦＦにして、モータ１２への通電状態を遮断する。
このとき、ストッパ片２２も矢印方向に回動するため、ボール３６はストッパ片２２の凹部２２ａから落下し、上フレーム４の突起部４ａ、ガイド枠３４の傾斜片３５及びストッパ片２２の自由端２３の３点で挟持される。
【００１８】
これにより、ストッパ片２２の自由端２３は、矢印Ｆで示すように、ボール３６の中心Ｇを斜め方向から傾斜片３５に向って押圧するため、ボール３６はその位置に確実に保持され、回転ローラ１５に外力が加えられても、ボール３６が空間部Ｓ方向に逃げることがない。
このようにしてストッパ片２２がロックされるため、軸１８、したがってアーム１９の回動が阻止されてスイッチ２８はＯＦＦ状態を維持するので、モータ１２に通電されることはない。
【００１９】
次に、上記のように構成した本実施の形態の作用を説明する。清掃にあたっては、図示しない握り部を有するホースを電気掃除機本体に接続し、握り部に接続された延長パイプに吸込み具１の連結パイプ５を接続し、電気掃除機本体に設けたコードを電源コンセントに接続して、握り部に設けたメインスイッチをＯＮして清掃を行う。
このとき、カーペット等を掃除する場合は、握り部に設けた条件選択スイッチにより回転体１０を使用することを選択する。
【００２０】
掃除にあたって、例えば、所望の掃除場所に吸込み具１を移動する場合のように、吸込み具１が掃除面から離れている場合は、図９（ｂ）に示すように、回転ローラ１５が掃除面から離れているため、条件選択スイッチと電気的に接続されたスイッチ２８はＯＦＦ状態になり、モータ１２への通電が遮断され、回転体１０は停止している。
【００２１】
ついで、吸込み具１を所望の場所へ移動して掃除面に置くと、図９（ａ）に示すように、スイッチ２８がＯＮ状態になり、モータ１２に通電されて回転体１０が回転し、掃除を行う。
【００２２】
一方、条件選択スイッチがカーペットを選択している状態で、掃除の途中で不用意に吸込み具１を上下逆向き状態にした場合は、図９（ｃ）に示すように、スイッチ２８はＯＦＦ状態になり、かつこの状態が維持されてモータ１２への通電が遮断されるので、回転体１０が回転することはない。
吸込み具１を再び上下順方向状態にすれば、操作部１４は再び図９（ａ）又は（ｂ）の状態になり、掃除を再開すればモータ１２に通電され、回転体１０を回転させる。
【００２３】
［実施の形態２］
図１０は本発明の実施の形態２に係る電気掃除機の吸込み具の上ケースを外した状態の要部平面図、図１１はカバーキャップの平面図である。なお、実施の形態１と同じ部分にはこれと同じ符号を付し、説明を省略する。
【００２４】
実施の形態１では、カバーキャップ２５のガイド枠３４の短辺の上部に傾斜片３５を設けると共に、上ケース４の下面の傾斜片３５の近傍に突起部４ａを設けた場合を示したが、本実施の形態においては、図１２（ａ）に示すように、ガイド枠３４の短辺の上部を上方（上ケース４側）になるにしたがって徐々に拡幅し、両長辺に連なる断面ほぼ三角形状に形成して傾斜面３５ａを設けると共に、その上端部を短辺と直交して上部開口部の中央部近傍まで延設し、支持片３５ｂを設けたものである。なお、実施の形態１の上ケース４の下面に設けた突起部４ａは省略した。
【００２５】
上記のように構成した本実施の形態において、吸込み具１を上下順方向状態で清掃面に置き、又は持ち上げた場合の作用は実施形態１の場合とほぼ同様である。また、吸込み具１を上下逆向き状態にした場合は、図１２（ｂ）に示すように、ボール３６はガイド枠３４の傾斜面３５ａ、支持片３５ｂ及びストッパ片２２の自由端２３の３点で挟持され、ストッパ片２２をロックする。
本実施の形態の効果は、実施の形態１の場合とほぼ同様であるが、下ケース４に設けた突起部４ａを省略してガイド枠３４に支持片３５ｂを設けたので、吸込み具１の下ケース２と上ケース４との間に若干すき間がある場合でも、ボール３６を正規の位置に案内し保持することができる。
【００２６】
以上の説明から明らかなように、本発明によれば、吸込み具１を上下逆向き状態にしたときは、ボール３６を、ガイド枠３４に設けた傾斜片３５又は傾斜面３５ａと、上ケース４に設けた突起部４ａ又はガイド枠３４に設けた支持片３５ｂと、ストッパ片２２の自由端２３との３点で挟持し、ストッパ片２２によりボール３６の中心部Ｇを斜め方向から押圧するようにしたので、ストッパ片２２は確実にロックされ、回転ローラ１５に外力が作用してもボール３６が逃げることがなく、スイッチ３８の接点３８ｂを確実にＯＦＦすることができる。
【００２７】
また、例えば吸込み具１が敷居等に乗り上げた場合でも、カバーキャップ２５のガイド枠３４に設けた傾斜片３５又は傾斜面３５ａが庇になり、ボール３６の飛び出しを防止できるので、吸込み具１が再び掃除面に戻ったときは、引続き回転体１０を回転させて掃除することができる。
【００２８】
【発明の効果】
本発明に係る電気掃除機の吸込み具は、本体の吸込口に回転自在に支持されモータで駆動される回転体と、本体内に設けられモータへの通電を制御するスイッチと、本体が清掃面に置かれたときは本体の底面に設けた検出部と連動してスイッチをＯＮし、本体が清掃面から離れたときは検出部と連動してスイッチをＯＦＦする操作部と、ボールが配設され操作部と連動するストッパ片が収容されたガイド枠とを備え、本体が上下逆向き状態にされたときはボールを本体、ガイド枠及びストッパ片の３点で挟持するようにしたので、回転ローラに外力が作用してもボールが逃げることがなく、ストッパ片が確実にロックされてスイッチのＯＦＦ状態を維持することができる。
【図面の簡単な説明】
【図１】本発明の実施の形態１に係る電気掃除機の吸込み具の上面斜視図及び下面斜視図である。
【図２】図１（ａ）の上ケースを取外した状態の一部を省略した平面図である。
【図３】図２の要部拡大図である。
【図４】図１（ｂ）の要部拡大図である。
【図５】図２の操作部の正面図及び側面図である。
【図６】操作部による吸込み具の作用説明図である。
【図７】カバーキャップの平面図、側面図及び断面図である。
【図８】操作部とカバーキャップのガイド枠との関係を示す説明図である。
【図９】操作部の作用説明図である。
【図１０】本発明の実施の形態２に係る電気掃除機の吸込み具の要部の上カバーを取外した状態を示す平面図である。
【図１１】図１０のカバーキャップの平面図である。
【図１２】実施の形態２の操作部の作用説明図である。
【符号の説明】
１  吸込み具（本体）、２  下ケース、３，４  上ケース、４ａ  突起部、９吸込口、１０  回転体、１４  操作部、１５  回転ローラ（検出部）、１７  ブラケット、１８  軸、１９  アーム、２１  コイルばね、２２  ストッパ片、２５  カバーキャップ、３４  ガイド枠、３５  傾斜片、３５ａ  傾斜面、３５ｂ  支持片。
【図１】
2004159961.tif 000003
【図２】
2004159961.tif 000004
【図３】
2004159961.tif 000005
【図４】
2004159961.tif 000006
【図５】
2004159961.tif 000007
【図６】
2004159961.tif 000008
【図７】
2004159961.tif 000009
【図８】
2004159961.tif 000010
【図９】
2004159961.tif 000011
【図１０】
2004159961.tif 000012
【図１１】
2004159961.tif 000013
【図１２】
2004159961.tif 000014